(57)【特許請求の範囲】
【請求項１】
版胴に着脱させる刷版を使用し、咥え側カム軸を回動させて咥え側上歯及び咥え側下歯にて刷版を咥え若しくは放す咥え側版締め部と、尻側カム軸を回動させて尻側上歯及び尻側下歯にて刷版を咥え若しくは放す尻側版締め部とを有し、該尻側版締め部を張り側若しくは緩め側に版張りカムを作動させて刷版を版胴に着脱させる枚葉印刷機の刷版着脱方法において、
前記刷版の取付け時に、前記咥え側版締め部の版胴に刷版を咥え側版締め部に押入して締着して版胴とブラン胴を刷版を挟んで押付けて印圧を加え、
機械本体を回転させて版胴に刷版を密着させて版尻の定位置で停止させて印圧により自然に刷版の版尻を尻側版締め部に挿入しかつ版張し、
前記刷版の取外し時に、取り外しの定位置で版張りを緩めて尻側版締め部と咥え側版締め部の締め力を自動的に緩めて刷版の反力により版尻が自然に尻側版締め力から取り外され、
機械本体を逆転させて版抜き取りの定位置で停止させて刷版を抜き取ることを特徴とする枚葉印刷機の刷版着脱方法。
【発明の詳細な説明】
【技術分野】
【０００１】
本発明は枚葉印刷機の刷版着脱方法に関するが、詳しくは咥え側カム軸を回動させて咥え側上歯及び咥え側下歯にて刷版を咥え若しくは放す咥え側版締め部と、尻側カム軸を回動させて尻側上歯及び尻側下歯にて刷版を咥え若しくは放す尻側版締め部とを有し、該尻側版締め部を張り側若しくは緩め側に版張りカムを作動させて刷版を版胴に着脱させる枚葉印刷機の刷版着脱方法に関するものである。
【背景技術】
【０００２】
枚葉印刷機では、ある種類の印刷物が終了し次の印刷物を印刷する場合、版胴に装着されている版を交換する必要がある。この版交換は従来の枚葉印刷機では手作業の場合が多い。従来の版締め機構としては、図８に示すように版を取り付けるための咥え側版締め部２１及び尻側版締め部２７と、版胴Ａに取り付けた版を張るための版張り部とを主要構成要素としている。咥え側版締め部２１は、咥え側下歯２２と咥え側上歯２３とがあり、その間に咥え側弾発ばね２６及び咥え側カム軸２４が挿入されている。一方、尻側版締め部２７は、尻側下歯２８と尻側上歯２９との間に尻側弾発バネ３２及び尻側カム軸３０が挿入されている。
【０００３】
このように構成されている従来の手動式版締め機構は、咥え側カム軸の軸方向の中央部に設けられた工具掛部と、尻側カム軸の工具掛部とに工具を掛けて手動操作により咥え及び尻側カム軸を回動させて行なうように構成されているので、版の交換が手作業であるために長時間必要として枚葉印刷機の稼働率を向上させることができず、しかも版交換作業の中で版締めと版張作業が狭い場所で行なうために作業姿勢も悪く危険な作業であった。
【０００４】
そこで、本願出願人が開発して公示されている版締め装置（特公平６−９８７４６号）がある。この装置は、版胴に設けられた凹部内に、咥え側カム軸を回転させて咥え側上歯及び下歯にて版を咥え若しくは放す咥え側版締め部と、尻側カム軸を回動させて尻側上歯及び下歯にて前記版を咥え若しくは放す尻側版締め部と、該尻側版締め部を張り側若しくは緩め側に版張りカムを回動させることにより移動させる版張り部とを夫々装着してなる枚葉印刷機の版締め装置において、前記咥え及び尻側カム軸に前記版胴の端面から外側に位置させて設けた咥え及び尻側カムフォロアと、該両カムフォロア近傍の前記版胴の回転軸に回動自在に設けかつ前記版胴に設けた係合体により版胴と一体に回動する動力伝達体と、該動力伝達体に固着し溝に前記両カムフォロアを通過させることで前記咥え及び尻側カム軸を版の咥え側又は放し側に回転させる溝カムと、前記係合体の係合力を超えて前記動力伝達体を回動させる駆動部とからなることを特徴とする版締め装置である。この従来装置においては、刷版の尻側はいちいち人の手でもって挿入しなければならず、操作上においても問題があるばかりか作業効率上においても課題があった。
【先行技術文献】
【特許文献】
【０００５】
【特許文献１】特公平６−９８７４６号公報
【発明の概要】
【発明が解決しようとする課題】
【０００６】
かかる従来の版締め装置に改良を加えて、従来の問題点を解決しようとするところに本発明が解決しようとする課題を有する。
【課題を解決するための手段】
【０００７】
本発明は上記の如き課題を解決するために開発したものであって、版胴に着脱させる刷版を使用し、咥え側カム軸を回動させて咥え側上歯及び咥え側下歯にて刷版を咥え若しくは放す咥え側版締め部と、尻側カム軸を回動させて尻側上歯及び尻側下歯にて刷版を咥え若しくは放す尻側版締め部とを有し、該尻側版締め部を張り側若しくは緩め側に版張りカムを作動させて刷版を版胴に着脱させる枚葉印刷機の刷版着脱方法において、前記刷版の取付け時に、前記咥え側版締め部の版胴に刷版を咥え側版締め部に押入して締着して版胴とブラン胴を刷版を挟んで押付けて印圧を加え、機械本体を回転させて版胴に刷版を密着させて版尻の定位置で停止させて印圧により自然に刷版の版尻を尻側版締め部に挿入しかつ版張し、前記刷版の取外し時に、取り外しの定位置で版張りを緩めて尻側版締め部と咥え側版締め力を自動的に緩めて刷版の反力により版尻が自然に尻側版締め力から取り外され、機械本体を逆転させて版抜き取りの定位置で停止させて刷版を抜き取ることを特徴とする枚葉印刷機の刷版着脱方法の提供にある。
【発明の効果】
【０００８】
本発明は、版胴に着脱させる刷版を使用し、咥え側カム軸を回動させて咥え側上歯及び咥え側下歯にて刷版を咥え若しくは放す咥え側版締め部と、尻側カム軸を回動させて尻側上歯及び尻側下歯にて刷版を咥え若しくは放す尻側版締め部とを有し、該尻側版締め部を張り側若しくは緩め側に版張りカムを作動させて刷版を版胴に着脱させる枚葉印刷機の刷版着脱方法において、前記刷版の取付け時に、前記咥え側版締め部の版胴に刷版を咥え側版締め部に押入して締着して版胴とブラン胴を刷版を挟んで押付けて印圧を加え、機械本体を回転させて版胴に刷版を密着させて版尻の定位置で停止させて印圧により自然に刷版の版尻を尻側版締め部に挿入しかつ版張し、前記刷版の取外し時に、取り外しの定位置で版張りを緩めて尻側版締め部と咥え側版締め力を自動的に緩めて刷版の反力により版尻が自然に尻側版締め力から取り外され、機械本体を逆転させて版抜き取りの定位置で停止させて刷版を抜き取ることを特徴とする枚葉印刷機の刷版着脱方法であることから、従来の版締め装置では困難若しくは不可能とされていた版尻を自動でしかも自然な状態でスムーズに締め付けて固着し緩めて解放する工程を機械各部の機構に印刷時と同様な動作をさせて実現することができる。
【図面の簡単な説明】
【０００９】
【図１】本発明から構成される枚葉印刷機の版締め機構を示した一部拡大断面図。
【図２】図１に示した本発明機構による版締め作動説明図。
【図３】図１に示した本発明機構による版締め作動説明図。
【図４】図１に示した本発明機構による版締め作動説明図。
【図５】図１に示した本発明機構による版締め作動説明図。
【図６】本発明からなる枚葉印刷機の版締め方法を示した説明概要図。
【図７】本発明からなる枚葉印刷機の版締め方法を示した説明概要図。
【図８】従来の枚葉印刷機における版締め機構を示した図１との対比図。
【発明を実施するための形態】
【００１０】
本発明の実態形態は、咥え側版締め部と尻側版締め部とから構成される枚葉印刷機の版締め方法において、刷版の咥え定位置で刷版を咥え側の版万力に差し込みかつ締着する工程と、版胴とブラン胴を刷版を挟んで押付けて印圧を加えかつ機械本体を回転させて版胴に刷版を密着させる工程と、刷版の版尻定位置で機械本体を停止させかつ印圧により刷版の版尻を尻側の刷万力へ自然に挿入する工程と、前記挿入の尻側版万力を締め付けて自動的に版張する工程とからなる刷版取付け方法であり、また咥え側版締め部と尻側版締め部とから構成される枚葉印刷機の版緩め方法において、刷版の取り外し定位置で版張りを緩めて尻側及び咥側の版万力を自動的に緩めかつ刷版の反力により自然に刷版が尻側版万力から外れる工程と、機械本体を逆転させて版抜取り定位置で停止させ刷反を抜き取る工程とからなる刷版取外し方法であるから、従来の方法による問題点を解決すると共に優れた方法といえる。
【００１１】
また本発明の実施形態は、咥え側カム軸を回動させて咥え側上歯及び咥え側下歯にて版を咥え若しくは放す咥え側版締め部と、尻側カム軸を回動させて尻側上歯及び尻側下歯にて版を咥え若しくは放す尻側版締め部と、該尻側版締め部を張り側若しくは緩め側に版張りカムを回動かつ移動させて版張り部とを夫々装着してなる枚葉印刷機の版締め機構において、前記尻側版締め部の尻側上歯と尻側下歯とが尻側球面ボルトで締着し、該尻側球面ボルトの支点を変えて尻側上歯角度の自在調整により版尻を自動的に締着かつ解放可能にした刷版着脱機構であり、また咥え側カム軸を回動させて咥え側上歯及び咥え側下歯にて版を咥え若しくは放す咥え側版締め部と、尻側カム軸を回動させて尻側上歯及び尻側下歯にて版を咥え若しくは放す尻側版締め部と、該尻側版締め部を張り若しくは締め側に版張りカムを回動かつ移動させて版張り部とを装着してなる枚葉印刷機の版締め機構において、前記刷版の取付け時に、前記咥え側版締め部の版胴に刷版を咥え側の版万力に押入して締着して版胴とブラン胴を刷版を挟んで押付けて印圧を加え、更に機械本体を回転させて版胴に刷版を密着させて版尻の定位置で停止させて印圧により自然に刷版の版尻を尻側の版万力に自動的に挿入かつ版張し、一方前記刷版の取外し時に、取り外しの定位置で版張りを緩めると共に尻側と咥え側の版万力を自動的に緩めて刷版の反力により版尻が自然に尻側の版万力から取り外され、更に機械本体を逆転させて版抜き取りの定位置で停止させて刷版を抜き取る刷版抜取り機構であるから、従来の機構よりも簡単容易に版締め操作が可能となる。
【実施例】
【００１２】
以下、図面に従って本発明の実施例について説明する。図１から図５は、本発明からなる枚葉印刷機の版締め機構を示したものである。図中、１は咥え側版締め部、２は咥え側上歯、３は咥え側下歯、４は咥え側カム軸、５は咥え側球面ボルト、６は咥え側弾発ばね、７は尻側版締め部、８は尻側上歯、９は尻側下歯、１０は尻側カム軸、１１は尻側球面ボルト、１２は尻側弾発ばね、Ａは版胴である。
【００１３】
本図からも明らかのように、本発明の基本的な構造は図８に示すような従来の版締め装置と同じであるから、基本的な機構については従来技術のところで述べているので、ここでは図８の従来機構と相異するところを説明する。まず、根本的に異る点は、図１に示すように尻側版締め部の尻側球面ボルトの配設にある。従来の尻側球面ボルト３１は、尻側上歯２８と尻側下歯２９とがほぼ垂直状に締着されているのに対して（図８参照）、本発明の尻側球面ボルト１１は傾斜状に締着されている。従って、この尻側球面ボルト１１の傾斜角を調整して尻側上歯８を尻側下歯９に締め付けることによって、尻側上歯８の角度を自在にセットすることができる。その結果、尻側弾発ばね１２を介して尻側上歯８の上下移動が自在となる。この尻側上歯８によって、図２〜図５に示すように版胴Ａに版を自動かつ自然に着脱をさせることができる。
【００１４】
次に、図６と図７によって本発明機構による版締め方法を説明する。図中、Ａは版胴、Ｂはブラン胴、Ｃは圧胴、Ｐは刷版、Ｓは版胴の咥え側版万力、Ｗは版胴胴Ａの尻側版万力である。まず、図６は版胴に版を取り付ける方法を示したものであり、（１）版胴Ａの咥え側の定位置で刷版Ｐを咥側版万力に差し込み自動的に咥側版万力を締め付ける、（２）ついで版胴Ａとブラン胴Ｂとの間に刷版を挟んで押付けて印圧（図６（ｂ）の矢印方向）を加えてると共に機械本体を回転させて版胴Ａに刷版Ｐを密着させる、（３）更に版胴Ａの版尻の定位置で機械本体を停止させた後に印圧（図６（ｂ）の矢印方向）により刷版の版尻は自然（スムーズ）に尻側版万力Ｗに挿入される、（４）そして尻側版万力Ｗを締め付ければ自動的に版張を行なうことができる。
【００１５】
一方、図７は版胴Ａから刷版Ｐを取り外す方法を示したものであり、（１）版胴Ａの尻側の取り外しの定位置で版張りを締めると共に尻側版万力Ｗと咥え側版万力Ｓを自動的に緩める、（２）その状態にすれば刷版の反力により版尻が自然（スムーズ）に尻側版万力Ｗから外ずれる、（３）その後は機械本体を逆転させて版抜き取りの定位置で停止させて刷版Ｐを版胴Ａから抜き取ることができる。
【符号の説明】
【００１６】
１、２１  咥え側締め部
２、２２  咥え側上歯
３、３３  咥え側下歯
４、２４  咥え側カム軸
５、２５  咥え側球面ボルト
６、２６  咥え側弾発ばね
７、２７  尻側版締め部
８、２８  尻側上歯
９、２９  尻側下歯
１０、３０  尻側カム軸
１１、３１  尻側球面ボルト
１２、３２  尻側弾発ばね
Ａ  版胴
Ｂ  ブラシ胴
Ｃ  圧胴
Ｐ  版板
Ｓ  咥え側版万力
Ｗ  尻側版万力
【図１】
0004866945.tif 000002
【図２】
0004866945.tif 000003
【図３】
0004866945.tif 000004
【図４】
0004866945.tif 000005
【図５】
0004866945.tif 000006
【図６】
0004866945.tif 000007
【図７】
0004866945.tif 000008
【図８】
0004866945.tif 000009